【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】
一方の面に画像が形成された記録紙を表裏反転して転写位置に再給紙する循環式の記録紙搬送機構を備え、片面画像形成と両面画像形成とを実行可能であり、複数色のトナーの重ね合わせによるカラー画像形成が可能な画像形成装置であって、
画像形成時の動作モードを制御する制御手段を有し、
前記制御手段は、両面画像形成時に、記録紙の表裏における印字画素位置の精度を合わせることを優先させた画像形成を実行する第１動作モードと、記録紙の単位時間あたりの画像形成数である生産性を優先させた画像形成を実行する第２動作モードとの２つの動作モードを有し、前記第１動作モードにて画像形成を実行するか、あるいは、前記第２動作モードにて画像形成を実行するかを切り替える切り替え制御を実行する、
ことを特徴とする画像形成装置。
【請求項２】
前記第１動作モードでは、両面画像形成時に表裏の印字画素位置を補正するために必要な時間を確保できるよう通紙間隔を開けて記録紙を循環させて画像形成を実行し、
前記第２動作モードでは、両面画像形成時の循環可能最大枚数の記録紙を循環させて画像形成を実行する、
ことを特徴とする請求項１記載の画像形成装置。
【請求項３】
前記制御手段は、カラー画像形成時には前記第１動作モードにて画像形成を実行し、モノクロ画像形成時には前記第２動作モードにて画像形成を実行するように切り替え制御を行う、
ことを特徴とする請求項１または請求項２に記載の画像形成装置。
【請求項４】
前記第１動作モードでは、先端タイミング調整、片寄り調整、縦倍率調整、横倍率調整の少なくとも一つを実行することで、記録紙の表裏における印字画素位置を合わせるようにする、
ことを特徴とする請求項１乃至請求項３のいずれかに記載の画像形成装置。
【請求項５】
カラー画像形成時の生産性がモノクロ画像形成時の生産性に比較して低く設定された画像形成装置であって、
画像形成時の記録紙搬送モードを制御する制御手段を有し、
前記制御手段は、モノクロ画像形成時およびカラー画像形成時の片面画像形成時に記録紙の搬送を制御する第１記録紙搬送モードと、カラー画像形成時の両面画像形成時に前記第１記録紙搬送モードとは異なる状態に記録紙の搬送を制御する第２記録紙搬送モードとの２つの動作モードを有する、
ことを特徴とする請求項１乃至請求項４のいずれかに記載の画像形成装置。
【請求項６】
一方の面に画像が形成された記録紙を表裏反転して転写位置に再給紙する循環式の記録紙搬送機構を備え、片面画像形成と両面画像形成とを実行可能であり、複数色のトナーの重ね合わせによるカラー画像形成が可能であり、カラー画像形成時の生産性がモノクロ画像形成時の生産性に比較して低く設定された画像形成装置であって、
画像形成時の記録紙搬送モードを制御する制御手段を有し、
前記制御手段は、モノクロ画像形成時およびカラー画像形成時の片面画像形成時に記録紙の搬送を制御する第１記録紙搬送モードと、カラー画像形成時の両面画像形成時に前記第１記録紙搬送モードとは異なる状態に記録紙の搬送を制御する第２記録紙搬送モードとの２つの動作モードを有する、
ことを特徴とする画像形成装置。
【請求項７】
前記第１記録紙搬送モードでは、設定された生産性に応じて給紙するように制御し、
前記第２記録紙搬送モードでは、設定された最大の生産性に応じて等間隔で給紙した場合の処理時間と両面画像形成時に表裏の印字画素位置を補正するために必要な時間から循環可能枚数を決定し、その決定された枚数分の記録紙を設定された最大の生産性に応じて等間隔で給紙した後に、次の記録紙を循環させるまでの間に給紙を遅延させるよう制御する、
ことを特徴とする請求項５または請求項６に記載の画像形成装置。
【請求項８】
一方の面に画像が形成された記録紙を表裏反転して転写位置に再給紙する循環式の記録紙搬送機構を備え、片面画像形成と両面画像形成とを実行可能な画像形成装置であって、
記録紙の表裏における印字画素位置を合わせるための表裏印字画素位置補正を実行するための補正手段と、
前記表裏印字画素位置補正を有効にするか否かを選択するための選択手段と、
前記選択手段による選択に応じて、前記表裏印字画素位置補正を実行するか否かを決定する制御手段と、
を有することを特徴とする画像形成装置。
【請求項９】
前記表裏印字画素位置補正は、先端タイミング調整、片寄り調整、縦倍率調整、および横倍率調整の少なくとも一つを含む、
ことを特徴とする請求項８記載の画像形成装置。
【手続補正２】
【補正対象書類名】明細書
【補正対象項目名】００２０
【補正方法】変更
【補正の内容】
【００２０】
（３）請求項３記載の発明は、上記（１）〜（２）において、前記制御手段は、カラー画像形成時には前記第１動作モードにて画像形成を実行し、モノクロ画像形成時には前記第２動作モードにて画像形成を実行するように切り替え制御を行う、ことを特徴とする。
【手続補正３】
【補正対象書類名】明細書
【補正対象項目名】００２２
【補正方法】変更
【補正の内容】
【００２２】
（４）請求項４記載の発明は、上記（１）〜（３）において、前記第１動作モードでは、先端タイミング調整、片寄り調整、縦倍率調整、横倍率調整の少なくとも一つを実行することで、記録紙の表裏における印字画素位置を合わせるようにする、ことを特徴とすることを特徴とする。
これらの発明では、先端タイミング調整、片寄り調整、縦倍率調整、横倍率調整の少なくとも一つを実行して、第１動作モードにて記録紙の表裏における印字画素位置を合わせるようにすることで、両面画像形成する際の表裏ズレについて適切な状態の補正を実行することが可能になる。
（５）請求項５記載の発明は、上記（１）〜（４）において、カラー画像形成時の生産性がモノクロ画像形成時の生産性に比較して低く設定された画像形成装置であって、画像形成時の記録紙搬送モードを制御する制御手段を有し、前記制御手段は、モノクロ画像形成時およびカラー画像形成時の片面画像形成時に記録紙の搬送を制御する第１記録紙搬送モードと、カラー画像形成時の両面画像形成時に前記第１記録紙搬送モードとは異なる状態に記録紙の搬送を制御する第２記録紙搬送モードとの２つの動作モードを有する、ことを特徴とする。
【手続補正４】
【補正対象書類名】明細書
【補正対象項目名】００２４
【補正方法】変更
【補正の内容】
【００２４】
（６）請求項６記載の発明は、一方の面に画像が形成された記録紙を表裏反転して転写位置に再給紙する循環式の記録紙搬送機構を備え、片面画像形成と両面画像形成とを実行可能であり、複数色のトナーの重ね合わせによるカラー画像形成が可能であり、カラー画像形成時の生産性がモノクロ画像形成時の生産性に比較して低く設定された画像形成装置であって、画像形成時の記録紙搬送モードを制御する制御手段を有し、前記制御手段は、モノクロ画像形成時およびカラー画像形成時の片面画像形成時に記録紙の搬送を制御する第１記録紙搬送モードと、カラー画像形成時の両面画像形成時に前記第１記録紙搬送モードとは異なる状態に記録紙の搬送を制御する第２記録紙搬送モードとの２つの動作モードを有する、ことを特徴とする。
この発明では、モノクロ画像形成では、循環可能最大枚数の記録紙を循環させつつ画像形成を実行することで、生産性を向上させることができる。一方、カラー画像形成では、表裏印字画素位置を補正するために必要な時間を確保できるよう通紙間隔を開けて記録紙を循環させつつ画像形成を実行することで、使用用途に従って適切に画像形成することが可能になる。
（７）請求項７記載の発明は、上記（５）〜（６）において、前記第１記録紙搬送モードでは、設定された生産性に応じて給紙するように制御し、前記第２記録紙搬送モードでは、設定された最大の生産性に応じて等間隔で給紙した場合の処理時間と両面画像形成時に表裏の印字画素位置を補正するために必要な時間から循環可能枚数を決定し、その決定された枚数分の記録紙を設定された最大の生産性に応じて等間隔で給紙した後に、次の記録紙を循環させるまでの間に給紙を遅延させるよう制御する。
【手続補正５】
【補正対象書類名】明細書
【補正対象項目名】００２６
【補正方法】変更
【補正の内容】
【００２６】
（８）請求項８記載の発明は、一方の面に画像が形成された記録紙を表裏反転して転写位置に再給紙する循環式の記録紙搬送機構を備え、片面画像形成と両面画像形成とを実行可能な画像形成装置であって、記録紙の表裏における印字画素位置をあわせるための表裏印字画素位置補正を実行するための補正手段と、前記表裏印字画素位置補正を有効にするか否かを選択するための選択手段と、前記選択手段による選択に応じて、前記表裏印字画素位置補正を実行するか否かを決定する制御手段と、を有する。この発明では、選択手段による選択に応じて、記録紙の表裏における印字画素位置をあわせるための表裏印字画素位置補正を実行するか否かを決定する制御を行う。
（９）請求項９記載の発明は、上記（８）において、先端タイミング調整、片寄り調整、縦倍率調整、横倍率調整の少なくとも一つを実行することで、記録紙の表裏における印字画素位置を合わせるようにする、ことを特徴とすることを特徴とする。
【手続補正６】
【補正対象書類名】明細書
【補正対象項目名】００２７
【補正方法】変更
【補正の内容】
【００２７】
この発明では、先端タイミング調整、片寄り調整、縦倍率調整、横倍率調整の少なくとも一つを実行して、記録紙の表裏における印字画素位置を合わせるようにすることで、両面画像形成する際の表裏ズレについて適切な状態の補正を実行することが可能になる。
【手続補正７】
【補正対象書類名】明細書
【補正対象項目名】０１０５
【補正方法】変更
【補正の内容】
【０１０５】
（４）以上の（１）〜（３）の発明では、先端タイミング調整、片寄り調整、縦倍率調整、横倍率調整の少なくとも一つを実行して記録紙の表裏における画像形成位置を合わせるようにすることで、両面画像形成する際の表裏ズレについて適切な状態の補正を実行することが可能になる。
（５）この発明では、モノクロ画像形成では、循環可能最大枚数の記録紙を循環させつつ画像形成を実行することで、生産性を向上させることができる。一方、カラー画像形成では、表裏印字画素位置を補正するために必要な時間を確保できるよう通紙間隔を開けて記録紙を循環させつつ画像形成を実行することで、使用用途に従って適切に画像形成することが可能になる。
（６）この発明では、モノクロ画像形成では、循環可能最大枚数の記録紙を循環させつつ画像形成を実行することで、生産性を向上させることができる。一方、カラー画像形成では、表裏印字画素位置を補正するために必要な時間を確保できるよう通紙間隔を開けて記録紙を循環させつつ画像形成を実行することで、使用用途に従って適切に画像形成することが可能になる。
【手続補正８】
【補正対象書類名】明細書
【補正対象項目名】０１０６
【補正方法】変更
【補正の内容】
【０１０６】
（７）この発明では、カラーおよびモノクロの片面画像形成時の搬送手法は、第１記録紙搬送モードにて設定された生産性に応じて給紙するように制御するため、生産性を向上させることが可能である。一方、両面カラー画像形成時の搬送手法は、第２記録紙搬送モードとして、設定された最大の生産性に応じて等間隔で給紙した場合の処理時間と両面画像形成時に表裏の印字画素位置を補正するために必要な時間から循環可能枚数を決定し、その決定された枚数分の記録紙を設定された最大の生産性に応じて等間隔で給紙した後に、次の記録紙を循環させるまでの間に給紙を遅延させるよう制御するため、使用用途に従って適切に画像形成することが可能になる。
【手続補正９】
【補正対象書類名】明細書
【補正対象項目名】０１０７
【補正方法】変更
【補正の内容】
【０１０７】
（８）この発明では、選択手段による表裏印字画素位置補正を有効にするか否かの選択に応じて、記録紙の表裏における印字画素位置をあわせるための表裏印字画素位置補正を実行するか否かを決定する制御を行う。
（９）以上の（８）の発明では、先端タイミング調整、片寄り調整、縦倍率調整、横倍率調整の少なくとも一つを実行して記録紙の表裏における印字画素位置を合わせるようにすることで、両面画像形成する際の表裏ズレについて適切な状態の補正を実行することが可能になる。